(57)【要約】      （修正有）【課題】異なるタイプや規格の同軸端子の圧着接続に使用する多機能で、小型、携帯に便利な工具を提供する。【解決手段】工具は、同軸ケーブル４０を接続口３８に装着することに適合し、同軸ケーブルは接続口の外スリーブ３８４を通し、且つ軸線方向に沿って延伸し、工具はプランジャー１６及び金型２４を包含し、金型は上金型部及び下金型部を包含し、上金型部が下金型部に枢軸連結され、上金型部が下金型部に対し回転軸を巡って回転でき、回転軸の軸線方向が同軸ケーブルの軸線方向と平行し、プランジャー１６が接続口３８を推移し、上金型部及び下金型部は外スリーブ３８４を圧迫し、径方向に変形させる。【選択図】図６ａ
0003211955.tif 000002
【実用新案登録請求の範囲】
【請求項１】
同軸ケーブルを第一接続口に装着することに適合し、前記同軸ケーブルは前記第一接続口の第一外スリーブを通すことができ、且つ前記同軸ケーブルが第一軸線方向に沿って延伸する工具であって、
プランジャー及び金型を包含し、その金型は上金型部及び下金型部を備え、前記上金型部が前記下金型部に対して回転軸を巡って回転するように、前記上金型部が前記下金型部に枢軸で連結し、前記回転軸の第二軸線方向が前記第一軸線方向と平行し、その中に前記プランジャーが前記第一接続口を推移でき、前記上金型部及び前記下金型部が前記第一外スリーブを圧迫し前記第一外スリーブを径方向的に変形させることを特徴とする工具。
【請求項２】
シート体及び前記シート体に枢軸連結するアームロッドを包含し、前記アームロッドが前記シート体の貫通孔を通し前記プランジャーが貫通するためのであり、前記アームロッドが前記シート体に対し回転でき、前記プランジャーを連れて前記第一軸線方向に沿って前記シート体に対し移動することを特徴とする請求項１に記載の工具。
【請求項３】
また、リンク（floating link）を包含し、それは前記プランジャー及び前記アームロッドに枢軸連結することを特徴とする請求項2に記載の工具。
【請求項４】
前記同軸ケーブルと前記プランジャーが前記第一軸線方向に同軸的に設置され、前記工具はまた、第一チャックと第二チャックを包含し、前記第一チャックが前記第一軸線方向に沿って延伸し、且つ前記プランジャーと前記同軸ケーブルの間に延伸線に位置し、前記工具は前記同軸ケーブルを前記第一接続口に装着し、前記第一チャックが前記第一接続口を押し付け、前記第一チャックが前記第一軸線方向に沿って前記金型に対し移動でき、前記第一接続口を推移し、前記上金型部及び前記下金型部を径方向に前記第一外スリーブを圧迫させ、且つ、前記工具は前記同軸ケーブルを第二接続口に装着し、前記同軸ケーブルが前記第二接続口の第二外スリーブを通し、前記第二チャックは、前記第二接続口を押しつけ、その中に前記第二チャックが前記第一軸線方向に沿って延伸し且つ前記プランジャーと前記同軸ケーブルの間における前記延伸線に位置し、前記第二チャックが前記第一軸線方向に沿って前記金型に対し移動し前記第二接続口を押し進み、前記上金型部及び前記下金型部を径方向に前記第二外スリーブを圧迫させ、その中に、前記第一チャックが前記第二チャックの形式と異なり、異なる形式の前記第一接続口及び前記第二接続口に配合するためのであることを特徴とする請求項１に記載の工具。
【請求項５】
前記同軸ケーブルと前記プランジャーが前記第一軸線方向に同軸的に設置され、前記工具はまた第一チャックと第二チャックを包含し、第一チャックが前記第一軸線方向に沿って延伸し且つ前記プランジャーと前記同軸ケーブルの間における延伸線に設置され、且つ、前記工具はまた第一置換部品を包含し、前記第一置換部品が前記第一軸線方向に沿って延伸し且つ前記プランジャーと前記第一チャックの間における延伸線に位置し、前記工具が前記同軸ケーブルを前記第一接続口に装着し、前記第一チャックは前記第一接続口を押しつけ、前記第一チャックは前記第一軸線方向に沿って前記金型に対し移動し、前記第一接続口を推移することに用いられ、前記上金型部及び前記下金型部を径方向に前記第一外スリーブを圧迫させ、且つ前記工具はまた前記同軸ケーブルを第二接続口に装着し、この場合、前記同軸ケーブルが前記第二接続口の第二外スリーブを通し、前記第二チャックは、前記第一軸線方向に沿って延伸し且つ前記プランジャーと前記同軸ケーブルの間における前記延伸線に位置し、且つ、前記工具はまた第二置換部品を包含し、前記第二置換部品が前記第一軸線方向に沿って延伸し且つ前記プランジャーと前記第二チャックの間における前記延伸線に位置し、前記第二チャックが前記第二接続口を押しつけ、前記第二チャックが前記第一軸線方向に沿って前記金型に対し移動でき、前記第二接続口を推移すことに用いられ、前記上金型部及び前記下金型部を径方向的に前記第二外スリーブを圧迫させ、その中に、前記第一置換部品が前記第二置換部品と異なる形式で、異なる形式の前記第一接続口及び前記第二接続口を配合し、且つ前記第一チャックが前記第二チャックと異なる形式で、異なる形式の前記第一接続口及び前記第二接続口を夫々配合することを特徴とする請求項１に記載の工具。
【請求項６】
前記同軸ケーブルと前記プランジャーが前記第一軸線方向に同軸的に設置され、前記工具はまたチャックを包含し、前記チャックが第一軸線方向に沿って延伸し且つ前記プランジャーと前記同軸ケーブルの間における延伸線に位置し、且つ前記工具はまた第一置換部品を包含し、前記第一置換部品が前記第一軸線方向に沿って延伸し且つ前記プランジャーと前記チャックの間における前記延伸線に設置し、前記工具は前記同軸ケーブルを前記第一接続口に装着し、前記チャックが前記第一接続口を押しつけ、前記チャックが前記第一軸線方向に沿って前記金型に対し移動でき前記第一接続口を推移することに用いられ、前記上金型部及び前記下金型部を径方向に前記第一外スリーブを圧迫させ、且つ前記工具もまた前記同軸ケーブルを第二接続口に装着でき、この場合、前記同軸ケーブルが前記第二接続口の第二外スリーブを通し、且つ前記工具はまた第二置換部品を包含し、前記第二置換部品が前記第一軸線方向に沿って延伸し且つ前記プランジャーと前記チャックの間に置ける前記延伸線に位置し、前記チャックが前記第二接続口を押しつけ、前記チャックが前記第一軸線方向に沿って前記金型に対し移動でき、前記第二接続口を推移することに用いられ、前記上金型部及び前記下金型部を径方向的に前記第二外スリーブを圧迫させ、その中に前記第一置換部品が前記第二置換部品と異なる形式で、異なる形式の前記第一接続口及び前記第二接続口を夫々配合することを特徴とする請求項１に記載の工具。
【請求項７】
またシート体を包含し、金型をその上に設置し、前記金型が前記第一軸線方向における移動経路に沿って前記シート体に対し移動できることを特徴とする請求項１に記載の工具。
【請求項８】
また、金型座を包含し、前記移動経路の一端に設置され、前記金型座における凹溝が前記金型を収納し且つ固定できることを特徴とする請求項７に記載の工具。
【請求項９】
また、ロッド体を包含し、貫通孔は前記金型を通し、前記ロッド体が通すことに用いられ、前記金型が前記ロッド体の延伸方向に沿って前記ロッド体に対し移動できることを特徴とする請求項１に記載の工具。
【請求項１０】
また、第一スプリングを包含し、前記ロッド体上に被り、前記第一スプリングの一端が前記金型に接触したので、前記金型の移動が前記第一スプリングによって牽制されることを特徴とする請求項９に記載の工具。
【請求項１１】
また、第二スプリングを包含し、前記ロッド体及び前記第一スプリングを巡り、前記第二スプリングの一端が前記金型に接触したので、前記金型の移動が前記第二スプリングによって牽制されることを特徴とする請求項10に記載の工具。
【請求項１２】
また、前記プランジャー上に被り設置されたスプリングーを包含し、貫通孔がシート体を貫通し、且つ前記プランジャーを貫通するためので、前記スプリングが前記プランジャーの径方向外凸部と前記シート体の径方向内凸部の間に位置されることを特徴とする請求項１に記載の工具。
【請求項１３】
前記上金型部の第一弧面が前記下金型部の第二弧面へ向け、貫通孔を形成して径方向的に前記第一外スリーブを圧迫するためのであることを特徴とする請求項１に記載の工具。
【請求項１４】
前記貫通孔の一端が第一内径を備え、前記貫通孔の他端が第二内径を備え、前記第二内径は前記第一内径より大きいことを特徴とする請求項13に記載の工具。
【請求項１５】
また、前記上金型部に枢軸連結する第一ロッド体及び前記下金型部に設置された第二ロッド体を包含し、前記第一ロッド体の止め具が前記第二ロッド体を止めることを特徴とする請求項１に記載の工具。
【請求項１６】
また、スプリングを包含し、前記上金型部と前記第一ロッド体の間に接触し、前記第一ロッド体が前記上金型部対しての回転が前記スプリングによって牽制されることを特徴とする請求項15に記載の工具。
【請求項１７】
前記上金型部及び前記下金型部の内側表面に夫々対応的な階段部が備え、それは同軸ケーブル接続口の外凸縁を止めるためのであることを特徴とする請求項１に記載の工具。
【請求項１８】
また、シート体及び前記シート体に枢軸連結するアームロッドを包含し、貫通孔が前記シート体を貫通し且つ前記プランジャーが貫通するためので、その中に前記シート体が二側壁上に対称的に設置された第一貫通孔を包含し、前記アームロッドの連結部上に第二貫通孔を備え、固定栓が前記第二貫通孔と２つの前記第一貫通孔中に挿入でき、前記アームロッドを水平的に前記シート体上に固定させるようになったことを特徴とする請求項１に記載の工具。
【請求項１９】
また、ナットを包含し、前記ナットが固定ポルトの一端に設置され且つ前記シート体の前記側壁上に位置され、前記固定ポルトを前記側壁上に固定することに用いられることを特徴とする請求項18に記載の工具。
【請求項２０】
また、収納溝を備え、前記シート体の前記側壁上に位置し、前記ナットを収納するためのであることを特徴とする請求項19に記載の工具。
【考案の詳細な説明】
【技術分野】
【０００１】
本実用新案は工具に関し、特に、同軸ケーブル接続口の外スリーブを金型内に設置して外スリーブを変形させた工具に関するものである。
【背景技術】
【０００２】
伝統的に、同軸ケーブル接続口圧接工具において、異なるタイプの同軸端子を圧接する場合(例えばF型同軸端子、BNC型同軸端子)、あるいは同一型式であるが、異なる規格(例えば異なる長さ)の同軸端子を圧接する場合、異なる端子圧接工具を使用する必要があり、使用者の作業上に不便であり、しかも伝統的な同軸ケーブル接続口圧接工具の大型であって使用者が順調に使用できない欠点があり、また、携帯も不便である。
【考案の概要】
【考案が解決しようとする課題】
【０００３】
従って、従来技術における問題を克服するために、多機能、小型、及び低価格といった特徴を備える同軸ケーブル圧接工具を提供する必要がある。
【課題を解決するための手段】
【０００４】
前記の目的を実現するための本実用新案に係る考案は以下のとおりである。
【０００５】
工具は、同軸ケーブルを第一接続口に装着することに適合し、前記同軸ケーブルは前記第一接続口の第一外スリーブを通すことができ、且つ前記同軸ケーブルが第一軸線方向に沿って延伸する工具であって、
プランジャー及び金型を包含し、その金型は上金型部及び下金型部を備え、前記上金型部が前記下金型部に対して回転軸を巡って回転するように、前記上金型部が前記下金型部に枢軸で連結し、前記回転軸の第二軸線方向が前記第一軸線方向と平行し、その中に前記プランジャーが前記第一接続口を推移でき、前記上金型部及び前記下金型部が前記第一外スリーブを圧迫し前記第一外スリーブを径方向的に変形させることを特徴とする工具。
【０００６】
前記の工具は、シート(sheet)体及び前記シート体に枢軸連結するアームロッドを包含し、前記アームロッドが前記シート体の貫通孔を通し前記プランジャーが貫通するためものであり、前記アームロッドが前記シート体に対し回転でき、前記プランジャーを連れて前記第一軸線方向に沿って前記シート体に対し移動すること。
【０００７】
前記の工具は、また、リンク（floating link）を包含し、それは前記プランジャー及び前記アームロッドに枢軸連結すること。
【０００８】
前記の工具は、前記同軸ケーブルと前記プランジャーが前記第一軸線方向に同軸的に設置され、前記工具はまた、第一チャックと第二チャックを包含し、前記第一チャックが前記第一軸線方向に沿って延伸し且つ前記プランジャーと前記同軸ケーブルの間に延伸線に位置し、前記工具は前記同軸ケーブルを前記第一接続口に装着し、前記第一チャックが前記第一接続口を押し付け、前記第一チャックが前記第一軸線方向に沿って前記金型に対し移動でき、前記第一接続口を推移し、前記上金型部及び前記下金型部を径方向に前記第一外スリーブを圧迫させ、且つ、前記工具は前記同軸ケーブルを第二接続口に装着し、前記同軸ケーブルが前記第二接続口の第二外スリーブを通し；前記第二チャックは、前記第二接続口を押しつけ、その中に前記第二チャックが前記第一軸線方向に沿って延伸し且つ前記プランジャーと前記同軸ケーブルの間における前記延伸線に位置し、前記第二チャックが前記第一軸線方向に沿って前記金型に対し移動し前記第二接続口を押し進み、前記上金型部及び前記下金型部を径方向に前記第二外スリーブを圧迫させ、その中に、前記第一チャックが前記第二チャックの形式と異なり、異なる形式の前記第一接続口及び前記第二接続口に配合するためのであること。
【０００９】
前記の工具は、前記同軸ケーブルと前記プランジャーが前記第一軸線方向に同軸的に設置され、前記工具はまた第一チャックと第二チャックを包含し、第一チャックが前記第一軸線方向に沿って延伸し且つ前記プランジャーと前記同軸ケーブルの間における延伸線に設置され、且つ、前記工具はまた第一置換部品を包含し、前記第一置換部品が前記第一軸線方向に沿って延伸し且つ前記プランジャーと前記第一チャックの間における延伸線に位置し、前記工具が前記同軸ケーブルを前記第一接続口に装着し、前記第一チャックは前記第一接続口を押しつけ、前記第一チャックは前記第一軸線方向に沿って前記金型に対し移動し、前記第一接続口を推移することに用いられ、前記上金型部及び前記下金型部を径方向に前記第一外スリーブを圧迫させ、且つ前記工具はまた前記同軸ケーブルを第二接続口に装着し、この場合、前記同軸ケーブルが前記第二接続口の第二外スリーブを通し；前記第二チャックは、前記第一軸線方向に沿って延伸し且つ前記プランジャーと前記同軸ケーブルの間における前記延伸線に位置し、且つ、前記工具はまた第二置換部品を包含し、前記第二置換部品が前記第一軸線方向に沿って延伸し且つ前記プランジャーと前記第二チャックの間における前記延伸線に位置し、前記第二チャックが前記第二接続口を押しつけ、前記第二チャックが前記第一軸線方向に沿って前記金型に対し移動でき、前記第二接続口を推移すことに用いられ、前記上金型部及び前記下金型部を径方向的に前記第二外スリーブを圧迫させ、その中に、前記第一置換部品が前記第二置換部品と異なる形式で、異なる形式の前記第一接続口及び前記第二接続口を配合し、且つ前記第一チャックが前記第二チャックと異なる形式で、異なる形式の前記第一接続口及び前記第二接続口を夫々配合すること。
【００１０】
前記の工具は、前記同軸ケーブルと前記プランジャーが前記第一軸線方向に同軸的に設置され、前記工具はまたチャックを包含し、前記チャックが第一軸線方向に沿って延伸し且つ前記プランジャーと前記同軸ケーブルの間における延伸線に位置し、且つ前記工具はまた第一置換部品を包含し、前記第一置換部品が前記第一軸線方向に沿って延伸し且つ前記プランジャーと前記チャックの間における前記延伸線に設置し、前記工具は前記同軸ケーブルを前記第一接続口に装着し、前記チャックが前記第一接続口を押しつけ、前記チャックが前記第一軸線方向に沿って前記金型に対し移動でき前記第一接続口を推移することに用いられ、前記上金型部及び前記下金型部を径方向に前記第一外スリーブを圧迫させ、且つ前記工具もまた前記同軸ケーブルを第二接続口に装着でき、この場合、前記同軸ケーブルが前記第二接続口の第二外スリーブを通し、且つ前記工具はまた第二置換部品を包含し、前記第二置換部品が前記第一軸線方向に沿って延伸し且つ前記プランジャーと前記チャックの間に置ける前記延伸線に位置し、前記チャックが前記第二接続口を押しつけ、前記チャックが前記第一軸線方向に沿って前記金型に対し移動でき、前記第二接続口を推移することに用いられ、前記上金型部及び前記下金型部を径方向的に前記第二外スリーブを圧迫させ、その中に前記第一置換部品が前記第二置換部品と異なる形式で、異なる形式の前記第一接続口及び前記第二接続口を夫々配合すること。
【００１１】
前記の工具は、またシート体を包含し、金型をその上に設置し、前記金型が前記第一軸線方向に沿って移動経路で前記シート体に対し移動できること。
【００１２】
前記の工具は、また、金型座を包含し、前記移動経路の一端に設置され、前記金型座における凹溝が前記金型を収納し且つ固定できること。
【００１３】
前記の工具は、また、ロッド体を包含し、貫通孔は前記金型を通し、前記ロッド体が通すことに用いられ、前記金型が前記ロッド体の延伸方向に沿って前記ロッド体に対し移動できること。
【００１４】
前記の工具は、また、第一スプリングを包含し、前記ロッド体上に被り、前記第一スプリングの一端が前記金に接触したので、前記金型の移動が前記第一スプリングによって牽制されること。
【００１５】
前記の工具は、また、第二スプリングを包含し、前記ロッド体及び前記第一スプリングを回り、前記第二スプリングの一端が前記金型に接触したので、前記金型の移動が前記第二スプリングによって牽制されること。
【００１６】
前記の工具は、また、前記プランジャー上に被り設置されたスプリングーを包含し、貫通孔がシート体を貫通し、且つ前記プランジャーを貫通するためので、前記スプリングが前記プランジャーの径方向外凸部と前記シート体の径方向内凸部の間に位置されること。
【００１７】
前記の工具は、前記上金型部の第一弧面が前記下金型部の第二弧面へ向け、貫通孔を形成して径方向的に前記第一外スリーブを圧迫するためのであること。
【００１８】
前記の工具は、前記貫通孔の一端が第一内径を備え、前記貫通孔の他端が第二内径を備え、前記第二内径は前記第一内径より大きいこと。
【００１９】
前記の工具は、また、前記上金型部に枢軸連結する第一ロッド体及び前記下金型部に設置された第二ロッド体を包含し、前記第一ロッド体の止め具が前記第二ロッド体を止めること。
【００２０】
前記の工具は、また、スプリングを包含し、前記上金型部と前記第一ロッド体の間に接触し、そこで、前記第一ロッド体が前記上金型部対しての回転が前記スプリングによって牽制されること。
【００２１】
前記の工具は、前記上金型部及び前記下金型部の内側表面に夫々対応的な階段部が備え、それは同軸ケーブル接続口の外凸縁を止めるためのものであること。
【００２２】
前記の工具は、また、シート体及び前記シート体に枢軸連結するアームロッドを包含し、貫通孔が前記シート体を貫通し且つ前記プランジャーが貫通するためので、その中に前記シート体が二側壁上に対称的に設置された第一貫通孔を包含し、前記アームロッドの連結部上に第二貫通孔を備え、固定栓が前記第二貫通孔と二つの前記第一貫通孔中に挿入でき、前記アームロッドが水平的に前記シート体上に固定されるようになったこと。
【００２３】
前記の工具は、また、ナットを包含し、前記ナットが固定ポルトの一端に設置され且つ前記シート体の前記側壁上に位置され、前記固定ポルトを前記側壁上に固定することに用いられること。
【００２４】
前記の工具は、また、収納溝を備え、前記シート体の前記側壁上に位置し、前記ナットを収納するためのものであること。
【００２５】
本実用新案は工具に関し、同軸ケーブルを第一接続口上に装着することに適合し、前記同軸ケーブルが前記第一接続口の第一外スリーブを貫通し、且つ前記同軸ケーブルが第一軸線方向に沿って延伸し、プランジャー及び金型を包含し、金型は上金型部及び下金型部を持ち、前記上金型部が前記下金型部に枢軸連結され、前記上金型部が前記下金型部に対し回転軸を巡って回転でき、前記回転軸の第二軸線方向が前記第一軸線方向と平行し、その中に前記プランジャーが前記第一接続口を推移することに用いられ、前記上金型部及び前記下金型部圧を第一外スリーブを圧迫させ、前記第一外スリーブを径方向に変形させる。
【００２６】
本実用新案は工具に関し、同軸ケーブルを第一接続口上に装着することに適合し、前記同軸ケーブルが前記第一接続口の第一外スリーブを貫通し、且つ前記同軸ケーブルが一軸線方向に沿って延伸し、シート体及び金型を包含し、金型が前記シート体（seat）に設置され、前記金型が前記軸線方向に沿って前記シート体に対し移動し、前記金型が前記第一外スリーブを圧迫し変形させるためである。
【００２７】
本実用新案は工具に関し、同軸ケーブルを第一接続口上に装着することに適合し、前記同軸ケーブルが前記第一接続口の第一外スリーブを貫通し、且つ前記同軸ケーブルが一軸線方向に沿って延伸し、シート体、金型座及び金型を包含し、金型座が前記シート体上に設置され、前記金型の移動経路の一端、その中に前記金型が前記軸線方向に沿って前記金型座へ移動し、前記金型は前記外スリーブを圧迫し変形させることに用いられる。
【００２８】
本実用新案は工具に関し、同軸ケーブルを第一接続口又は第二接続口上に装着することに適合し、前記同軸ケーブルが前記第一接続口の第一外スリーブ又は前記第二接続口の第二外スリーブを貫通し、その中に前記第一接続口の形式は前記第二接続口的形式と異なって、シート体、金型を包含し、金型が前記シート体上に設置され、第一圧迫部品体が前記シート体上に設置され前記金型的方向へ前記シート体に対し移動し、前記第一外スリーブを圧迫し変形させ、及び第二圧迫部品、前記シート体上に設置され、前記金型に向けの方向へ前記シート体（seat）に対し移動し、前記第二外スリーブを圧迫し変形させ、前記第一圧迫部品が前記第二圧迫部品の形式と異なって接続口異なる形式の前記第一接続口及び前記第二接続口を配合することに用いる。
【００２９】
本実用新案は工具に関し、同軸ケーブルを接続口上に装着することに適合し、前記同軸ケーブルが前記接続口の外スリーブを貫通し、シート体、及び金型を包含し金型がシート体のロッド体上に設置され、前記金型が前記ロッド体の延伸方向に沿って前記ロッド体に対し移動し、前記金型が前記外スリーブを圧迫し変形させることに用いられる。
【考案の効果】
【００３０】
従来技術と較べ、前記技術方案を採用する本実用新案は多機能、サイズの小ささとコストの低さという利点を有する。
【図面の簡単な説明】
【００３１】
【図１ａ】本実用新案第一実施例の工具で、第一種実施態様の立体概念図である。
【図１ｂ】本実用新案第一実施例の工具で、第二種実施態様の立体概要図である。
【図２】本実用新案第一実施例の工具立体分解概要図である。
【図３】本実用新案第一実施例の工具での他角度からの立体分解概要図である。
【図４】本実用新案第一実施例の工具での他角度からの立体概要図である。
【図５】本実用新案第一実施例の工具断面概要図である。
【図６ａ】本実用新案第一実施例の工具が同軸ケーブル接続口を圧合した前の断面概要図である。
【図６ｂ】本実用新案第一実施例の工具が同軸ケーブル接続口を圧合した後の断面概要図である。
【図７ａ】本実用新案第一実施例の工具が同軸ケーブル接続口連結操作をする前後対比概要図である。
【図７ｂ】本実用新案第一実施例の工具が同軸ケーブル接続口連結操作をする前後対比概要図である。
【図８ａ】本実用新案第二実施例の工具で、第一種実施態様の立体概要図である。
【図８ｂ】本実用新案第二実施例の工具で、第二種実施態様の立体概要図である。
【図８ｃ】本実用新案第二実施例の工具立体分解概要図である。
【図８ｄ】本実用新案第二実施例の工具での他立体分解概要図である。
【図９ａ】本実用新案第二実施例の工具が同軸ケーブル接続口を圧合した前の断面概要図である。
【図９ｂ】本実用新案第二実施例の工具が同軸ケーブル接続口連結操作に応用した立体概要図である。
【図９ｃ】本実用新案第二実施例的工具が同軸ケーブル接続口を圧合した後の断面概要図である。
【図１０ａ】本実用新案第三実施例の工具の立体概要図である。
【図１０ｂ】本実用新案第三実施例の工具の断面分解概要図である。
【図１０ｃ】本実用新案第三実施例の工具の断面概要図である。
【符号の説明】
【００３２】
10-シート体；12-アームロッド；14-リンク；16-プランジャー；18、46-置換部品；20、36、48-チャック；22-連結体；24、42-金型；26、426-ロッド体；28-金型座；30、32、50、428-スプリング；34-固定リング；104-貫通孔；112-当金部；114-側壁；116-収納孔；117-留め具；1124、4227-溝部；120-曲面；121-表面；122-第一連結部；162-第二連結部；164-螺子孔；118-枢軸ピン；204-第一螺子柱；206、266、484-当金部；182-螺子孔；184-第二螺子柱；186-把握部；262-第一連結端；264-第二連結端；286-嵌合部；424、242-上金型部；244、422-下金型部；246-第三連結部；2464 留め具溝；248-第四連結部；250-第五連結部；38-同軸ケーブル接続口；40-同軸ケーブル；382-内スリーブ；384-外スリーブ；386、442-ナット；387-隙間；7-編織層；9-プラスッチク被覆層；1-金属線；3-絶縁層；5-薄金属層；252、421-錐形貫通孔；102a、104a、110a、124a、122a、126a、14a、14b、168a、286a、22a、2462a、248a、250a、30a、32a、4226、4246、4262-貫通孔；d1、d2-直径；126、168、222、4224、4244-側壁；1122、2462-凸体；44-固定栓；486-ロッド部；430-ピン；4222-第六連結部；4242-第七連結部；4229-凸出部；119-固定螺子；4264-止め金部；245、4223-階段部；105-区域；107-収納溝；47-当金部品；102、106、108、110、124、166、202、282、284、285、224、482、4248、4249-凹溝。
【考案を実施するための形態】
【００３３】
以下の記述と図面とを一緒に読んだ場合、更に本実用新案の内容を理解でき、前記のこれらの図面の性質は説明性で、非制限性であると見なすべきである。前記のこれら図面は必ずしも比例に応じて描きではない、重点は本実用新案の原理を強調するためにある。
【００３４】
ここで説明された実施例は他の実施例と取り替えることができる。空間の節約又は更なる表現するために、明らかな点と必要ない細部を省略する。却って、いくらかの実施例を実施するが、すべての細部を表現することではない。
【００３５】
本実用新案の同軸ケーブル工具は同軸ケーブル接続口の外スリーブを金型内に設置され、金型座によって金型を圧合して外スリーブを変形させ、同軸ケーブルのプラスッチク被覆層を圧迫し、更に外スリーブを同軸ケーブルに固定させて接続する。
【００３６】
第一実施例
図1a、図1b及び図2乃至図5に示すように、本実用新案の同軸ケーブル工具はシート体10、アームロッド12、リンク(floating link)14、プランジャー(plunger)16、可置換部品18、チャック(chuck)20、連結体22、金型24、ロッド体26、金型座28、スプリング30、スプリング32、固定リング34及びチャック36を含む。
【００３７】
このシート体10は凹溝102、貫通孔104、凹溝106、凹溝108、凹溝110及び当金部112を備え、その中に凹溝102が貫通孔104と連通し、凹溝106が凹溝108と連通し、凹溝102の二側壁114上に貫通孔102aを夫々備え、且つこのシート体10にはまた三つ収納孔116が下表面及び側面に夫々位置され、また、当金部112上に留め具117及び二凸体1122を備え、その中に二凸体1122の間に溝部1124を備える。
【００３８】
このアームロッド12は曲面120及び表面121を備え、この曲面120が使用者の操作把握として、且つアームロッド12の一端には第一連結部122を備え、この第一連結部122上に凹溝124を備え、これはリンク14を収納、連結するためので、この凹溝124の二側壁126上には貫通孔124aを備え、且つ、第一連結部122がまた貫通孔122aを備える。リンク14の二端に貫通孔14a及び貫通孔14bを備え、リンク14を凹溝124内に差し込み、貫通孔14aを二貫通孔124aと相互に芯あわせし、且つ枢軸ピン (図に表示なし)を使用し貫通孔14aと二貫通孔124a内に挿入し、リンク14をアームロッド12の第一連結部122上に枢軸連結させ、しかもリンク14の他端の貫通孔14bはプランジャー16に枢軸連結され、このプランジャー16の二端が第二連結部162及び螺子孔164を夫々具え、その中に第二連結部162が凹溝166を備え、凹溝166の二側壁168には貫通孔168aを夫々備え、リンク14を凹溝166内に差し込み、貫通孔14bを二貫通孔168aと相互に芯あわせし、且つ枢軸ピン(図に表示なし)使用し貫通孔14bと二貫通孔168a内に挿入し、リンク14をプランジャー16の第二連結部162上に枢軸連結させ、プランジャー16を凹溝102を介してシート体10の貫通孔104内に置きいれ、且つ、同時にアームロッド12の第一連結部122及びリンク14を凹溝102内に差し込み、第一連結部122上における貫通孔122aと側壁114上の二貫通孔102aを相互に芯あわせし、且つ枢軸ピン118を使用し貫通孔122aと二貫通孔102a内に挿入し、アームロッド12の第一連結部122をシート体10の二側壁114上に枢軸連結させる。
【００３９】
チャック20の二端は凹溝202及び第一螺子柱204を備え、且つ凹溝202と第一螺子柱204の間に当金部206を備え、可置換部品18の二端が螺子孔182及び第二螺子柱184を備え、且つ螺子孔182と第二螺子柱184の間に使用者が操作する時、便利に把握するように、把握部186を備え、この把握部186の外観形状は六角形、四角形又は多角形で、表面が粗さで、次に第一螺子柱204を螺子孔182内に設置され、チャック20を可置換部品18に相互連結させ、また、貫通孔104の他端から可置換部品18の第二螺子柱184をプランジャー16の螺子孔164内に設置させ、プランジャー16、可置換部品18及びチャック20を相互に連結させる。
【００４０】
ロッド体26が第一連結端262及び第二連結端264を備え、ロッド体26表面且つ第一連結端262と第二連結端264の間に当金部266を備え。金型座28が凹溝282、凹溝284、凹溝285及び嵌め合い部286を備え、凹溝284が凹溝282の下方に位置し、しかも凹溝285が金型座28の側壁上に位置し、嵌め合い部286且つ凹溝284内に貫通孔286aを備え。連結体22上に貫通孔22a及び二側壁222を備え、二側壁222の間に凹溝224を備える。
【００４１】
金型24は上金型部242及び下金型部244からなり、上金型部242及び下金型部244の内側表面に階段部245を備え、この上金型部242の一端が第三連結部246を備え、この第三連結部246が二凸体2462を備え、在二凸体2462上に相互対位の貫通孔2462aを夫々備え、且つ二凸体2462の間に止め金溝2464を備え、しかも、下金型部244の一端が第四連結部248を備え、第四連結部248が貫通孔248aを備え、且つ下金型部244下方に位置され、第五連結部250を備え、この第五連結部250が貫通孔250aを備え、下金型部244の第四連結部248を上金型部242の止め金溝2464内に設置され、第四連結部248の貫通孔248aを二凸体2462の貫通孔2462aと相互に芯あわせし、かつ枢軸ピン(図に表示なし)貫通孔248aと二貫通孔2462a内に挿入し、上金型部242の一端が下金型部244の一端に枢軸連結させ、金型24を開き状態又は閉止状態にさせ、金型24が閉止状態となった場合、上金型部242の弧面が下金型部244の弧面に向け対応し、錐形貫通孔252に形成するためで、この錐形貫通孔252は同軸ケーブル接続口が貫通するためのものである。
【００４２】
ロッド体26の第二連結端264が金型24の貫通孔248a内に差し込み、金型24の第五連結部250を当金部266に接し、更に第二連結端264をスプリング30の貫通孔30a及びスプリング32の貫通孔32a内に差し込み、貫通孔32a直径がスプリング30外径より大きく、且つスプリング32の線径及び弾力がスプリング30より大きく、スプリング32とスプリング30は皆弾性部品であり、その弾力大小がスプリングの線径と関係があり、例えばスプリング30の線径が0.1ミリ(mm)乃至0.3mmの間、0.15mm乃至0.5mmの間又は0.3mm乃至1.5mmの間にあるが、スプリング32の線径が0.5ミリ(mm)乃至1.5mmの間、0.8mm乃至2mmの間又は1mm乃至2.5mmの間にあり、従って、スプリング32が同時に第二連結端264及びスプリング30上を貫通し、しかもスプリング30の一端が金型24の第五連結部250上に接し、更にロッド体26の第二連結端264を金型座28の貫通孔286a内を貫通し、この凹溝284はスプリング32及びスプリング30を収納でき、しかもスプリング30の他端が凹溝284の内壁に接し。ロッド体26の第一連結端262を凹溝224を介して連結体22の貫通孔22a内を差し込んだ。
【００４３】
次に前記ロッド体26を介して連結された連結体22、金型24、スプリング30、スプリング32及び金型座28をシート体10的の凹溝106、凹溝108及び凹溝110内に設置され、その中に金型座28の嵌め合い部286が凹溝110内に設置され、且つロッド体26の第二連結端264が当金部112の留め具117内に嵌め合いし、金型座28の凹溝282が当金部112溝部1124と対応し、しかも連結体22、金型24の第五連結部250が凹溝108内に設置され、ロッド体26の第一連結端262が連結体22の貫通孔22aを通し凹溝106内に位置され、この場合、金型24の第五連結部250は同時に連結体22の凹溝224内にも位置され、しかも第五連結部250がスプリング30の弾力で当金部266上に当たり、更に金型24の移動がスプリング30によって牽制され、固定リング34の二端を金型座28的凹溝285内に枢軸連結させ、この固定リング34がシート体10に対し回転できる。
【００４４】
前記シート体10、アームロッド12、リンク14、プランジャー(plunger)16、可置換部品18、チャック20、連結体22、金型24、ロッド体26、金型座28、スプリング30、スプリング32、固定リング34及びチャック36の材質は例えば銅、鉄、銀、ニッケル、錫、金、錫金合金、銅錫合金、銅ニッケル合金、真鍮、真鍮合金、リン青銅、ベリリウム銅、アルミ、アルミ合金、亜鉛合金、鋼鉄合金或いは他の高強度の重合物プラスッチクから選ばれた一種又はその組み合わせたものである。また、チャック36とチャック20は接続口異なる形式の同軸ケーブル接続口に対し使用でき、例えばF型同軸ケーブル接続口、BNC型同軸ケーブル接続口、RCA型同軸ケーブル接続口、XLR型同軸ケーブル接続口、DFP型同軸ケーブル接続口、DVI型同軸ケーブル接続口、SCART型同軸ケーブル接続口又はRF型同軸ケーブル接続口などがあり、使用者が必要に応じてチャック36とチャック20が相互に切り替えでき、その中にチャック36とチャック20の形式の違い点は外観の差異にあり、外径大きさの差異又は長さの差異などにあり、しかもシート体10上に位置した他の二つ収納孔116にも異なる形式の可置換部品18及び他の形式のチャックを設置でき、例えば、外観違い、外径大きさ違い又は長さ違いなどの可置換部品18を切り替え、従って、本実用新案に対し言えば、チャック20及び可置換部品18は取り換えの圧迫部品体であり、この圧迫部品体は同軸ケーブル接続口の形式違いによって形式適合なチャック20及び可置換部品18を取り替えることができる。
【００４５】
図6a、図6b、図7a及び図7bに示すように、同軸ケーブル接続口38を同軸ケーブル40に装着し、この同軸ケーブル接続口38及び同軸ケーブル40はプランジャー16、可置換部品18、チャック20と同軸的に設置され、その中にチャック20がプランジャー16と同軸ケーブル接続口38の間に位置され、この同軸ケーブル接続口38は内スリーブ382、外スリーブ384及びナット386を包含し、その中に外スリーブ384が同軸的に内スリーブ382外に設置され、しかもナット382が内スリーブ382上に被り（sheath）、しかも内スリーブ382の後端延伸部と外スリーブ384の後端延伸部の間に間隙387を備え、この外スリーブ384の後端延伸部が直径d1を備え、同軸ケーブル40が同軸ケーブル接続口38に装着された場合、同軸ケーブル40の編織層7及びプラスッチク被覆層9は内スリーブ382の後端延伸部と外スリーブ384の後端延伸部の間における隙間387に押し付けられ、この場合、部分的な編織層7が外へ翻して部分的なプラスッチク被覆層9層の外表面を被覆し、しかも同軸ケーブル40の金属線1、絶縁層3及び薄金属層5が内スリーブ382後端から内スリーブ382の前端を通し、その中に金属線1がナット386から構成された空間内に延伸した。金型24の上金型部242を下金型部244から開けて、前記同軸ケーブル接続口38を装着した同軸ケーブル40を当金部112の溝部1124、金型座28の凹溝284及び金型24的下金型部244上に設置され、且つ同軸ケーブル接続口38のナット386をチャック20上に設置させ、この場合、同軸ケーブル40の金属線1がチャック20の凹溝202内を被り、且つナット386内における内スリーブ382をチャック20の表面上に接し、更に上金型部242を閉め、上金型部242及び下金型部244を同軸ケーブル40を巡って、即ち、同軸ケーブル40が金型24の錐形貫通孔252内に位置された。更にアームロッド12をシート体10方向へ押し下げ、同時にアームロッド12の第一連結部122によってリンク14、プランジャー16、可置換部品18及びチャック20を連れてシート体10の当金部112方向へ移動し、且つチャック20も同軸ケーブル接続口38及び同軸ケーブル40を推移しながら当金部112方向へ移動し、即ち、同軸ケーブル接続口38の軸線方向へ移動し、その中に移動過程中において、チャック20が同軸ケーブル接続口38を押しながら金型24の錐形貫通孔252内壁に接し、使用者が力を入れた過程中に、金型24がチャック20の推力を受けて当金部112方向へ移動し、しかも金型24の上金型部242及び下金型部244も徐徐に金型座28の凹溝282内壁に接し、その中に、同軸ケーブル接続口38の外スリーブの外凸縁が上金型部242及び下金型部244の階段部245に接し、この場合、凹溝108内に位置したスプリング30が金型24の移動によって圧縮された。使用者手の平でアームロッド12の曲面121を把握して且つシート体10方向に向けて押し下げ、且つアームロッド12の表面121をシート体10表面に接触した場合、即ち、アームロッド12が殆どシート体10と平行関係になった場合、金型24が金型座28の凹溝282内にしっかり圧迫され、この場合、金型24がスプリング30を圧迫した以外、同時にスプリング32を圧迫し、同時に同軸ケーブル接続口38はチャック20の押しつけを受け、同軸ケーブル接続口38の外スリーブ384の後端延伸部が金型24径方向圧迫を受け錐形に変形させ、この場合、上金型部242及び下金型部244の階段部245は使用者が力を入れすぎる場合、同軸ケーブル接続口38が金型24中に落ち込��すぎることを阻止し、取り出しにくいことをを防止する作用で、即ち、同軸ケーブル40の外スリーブ384に近付いた後端延伸部38の直径d1が縮小して直径d2に変化し、しかもナット386に近付いた外スリーブ384の後端延伸部38の直径d1が変化なし、且つ内スリーブ382の後端延伸部と外スリーブ384の後端延伸部の間における間隙387が小さくなり、また、外スリーブ384の後端延伸部変形した同時に、同軸ケーブル40の編織層7及びプラスッチク被覆層9を圧迫し、同軸ケーブル40と同軸ケーブル接続口38を密接に結合させ脱落しにくく、次に使用者がアームロッド12に対し力を入れることを停止し、アームロッド12を緩めて、この場合、スプリング30及びスプリング32の弾力によって金型24をアームロッド12方向へ移動させ、金型24を金型座28の凹溝282を離れ、同時に金型24は同軸ケーブル接続口38、チャック20、可置換部品18及びプランジャー16を押しながらアームロッド12方向へ移動し、金型24の第五連結部250がロッド体26の当金部266上に接したまでに移動が中止し、アームロッド12も未圧合前の状態に復帰し、次に金型24の上金型部242を下金型部244から開けて同軸ケーブル接続口38及び同軸ケーブル40を取り出し。また、本実用新案はシート体10の凹溝106内にスプリング32を設置する原因はスプリング32の弾力が遥かにスプリング30の弾力より大きく、そうすると、金型24に対し使用者が力を入れすぎた場合、金型24を金型座28の凹溝282内にひっかけしたので、使用者が圧合完成の同軸ケーブル接続口38及び同軸ケーブル40取出にくいことを防止できる。
【００４６】
また、本実用新案の同軸ケーブル工具の固定リング34の設計は、体積を大幅に縮小とし、さらに使用者が便利に携帯でき、図1bに示すように、この固定リング34はアームロッド12が表面121接触シート体10表面に押し下げした場合、固定リング34をアームロッド12の曲面121上に回転して、アームロッド12を固定させ、同軸ケーブル工具体積縮小できる。また、シート体10上における複数個収納孔116の設計も使用者を異なる形式可置換部品18及びチャック20を取り替えり、その中に異なる形式、例えば外観の違い、外径サイズの違い又は長さの違いなどで、この工具は多くの規格又は形式の同軸ケーブル接続口の接続操作に利用される。
【００４７】
第二実施例
図8a乃至図8dに示すように、第二実施例の同軸ケーブル工具は第一実施例の同軸ケーブル工具と異なる点は第二実施例の同軸ケーブル工具の金型42にて第一実施例の金型24及び金型座28に替わり、第二実施例の固定栓44にて第一実施例の固定リング34に替わり、及び第二実施例の可置換部品46及びチャック48は接続口第一実施例の可置換部品18及びチャック20に替わり。第二実施例が第一実施例と同一符号部品の説明は、前記第一実施例の説明を参照ください、この第二実施例の同軸ケーブル工具はシート体10、アームロッド12、リンク14、プランジャー16、可置換部品46、チャック48、金型42及びチャック36及びスプリング50を包含する。
【００４８】
以下、本実施例の各部品を説明し、第一実施例と重複の部品は前記の説明を参照ください、シート体10は凹溝102、貫通孔104、凹溝110、当金部112を包含し、その中に凹溝102が貫通孔104と連通し、凹溝110内に貫通孔110aを備え、且つ凹溝102の二側壁114上に貫通孔102a及び貫通孔104aを備え、当金部112上に二凸体1122を備え、且つ二凸体1122の間に溝部1124を有する。
【００４９】
アームロッド12の第一連結部122上に同様に凹溝124を備え、これは収納且つリンク14を連結するためので、この凹溝124の二側壁126上に貫通孔124aを備え、且つこの第一連結部122にはまた貫通孔122a及び貫通孔126aを備え、リンク14を凹溝124内に差し込み、貫通孔14aと二貫通孔124aを相互に芯あわせし、かつ枢軸ピン(図面表示なし)を使用し貫通孔14aと二貫通孔124a内に挿入し、リンク14をアームロッド12の第一連結部122上に枢軸連結し、リンク14他端の貫通孔14bがプランジャー16の第二連結部162上に枢軸連結し、リンク14を凹溝166内に差し込み、貫通孔14bを二貫通孔168aと相互に芯あわせし、且つ枢軸ピン(図中表示なし)使用して貫通孔14bと二貫通孔168a内に差し込み、リンク14をプランジャー16の第二連結部162上に枢軸連結させ、次にスプリング50を螺子孔164端からをプランジャー16上に被り、且つスプリング50を第二連結部162上に接し、プランジャー16を凹溝102を介してシート体10の貫通孔104内に差し込み、且つ同時にアームロッド12の第一連結部122及びリンク14を凹溝102内に差し込み、第一連結部122上の貫通孔122aを側壁114上の二貫通孔102aと相互に芯あわせし且つ枢軸ピン118を使用して貫通孔122aと二貫通孔102a内に挿入し、アームロッド12の第一連結部122をシート体10の二側壁114上に枢軸連結させ、同時にプランジャー16上におけるスプリング50が第二連結部162と貫通孔104の孔壁の間に位置し、その中にスプリング50が貫通孔104の孔壁に当たり、プランジャー16が貫通孔104を通した場合、スプリング50が貫通孔104から滑り出さないので、その中にアームロッド12、リンク14及びプランジャー16が凹溝102内において連動関係になった。
【００５０】
チャック48の二端には接続口凹溝482、当金部484及びロッド部486を夫々備え、且つ当金部206が凹溝482とロッド部486の間に位置し、当金部484外観形状は六角形、四角形又は多角形で、荒さ表面で、これは使用者が便利に操作するためので、また、ロッド部486上に可置換部品46を設置し、この可置換部品46はナットで、次にロッド部486が貫通孔104を通し且つプランジャー16の螺子孔164内に設置され、チャック48、可置換部品46及びプランジャー16を相互に連結させた。
【００５１】
金型42は上金型部424、下金型部422、ロッド体426、スプリング428及びピン430からなり、上金型部424の一端が第七連結部4242を備え、この第七連結部4242が貫通孔(図面表示なし)を備え、上金型部424の他端が二側壁4244にて形成した溝部(図面表示なし)を備え、側壁4244上が貫通孔4246を備え、且つ二側壁4246にて形成した溝部の上金型部424溝壁上に凹溝4248を備え、また、上金型部424に凹溝4249を備え側壁4246と第七連結部4242の間に位置された。しかも下金型部422の一端が第六連結部4222を備え、第六連結部4222が貫通孔(図面表示なし)を備え、下金型部422の他端が二側壁4224で形成した溝部4227を備え、側壁4224上に貫通孔4226を備え、ピン430がこの貫通孔4226を通し溝部4227内に設置され、また、下金型部422の下表面が凸出部4229を備え、この凸出部4229がシート体10の貫通孔110a内に設置され、且つ固定螺子119にてシート体10底部から貫通孔110aを通し、下金型部422を凹溝102上に固定し止めた。また、下金型部422の側壁4224と第六連結部4222の間に凹溝4228を有する。なお、上金型部424の凹溝4249内壁及び下金型部422の凹溝4228内壁にはお互いに対応した階段部4223を設けた；しかもロッド体426の一端は止め具4264を包含し、ロッド体426他端表面は粗さ表面又は複数刻み痕跡の表面であり、ロッド体426上にまた貫通孔4262を備え、且つ止め具4264と粗さ表面端の間に位置される。
【００５２】
上金型部424の第七連結部4242を下金型部422の第六連結部4222上に枢軸連結させ、次に枢軸ピン(図面表示なし)を上金型部424の貫通孔4246を通し、同時にロッド（rod）体426の貫通孔4262を通し、ロッド体426を上金型部424上に枢軸連結させた。スプリング428の一端を上金型部424の凹溝4248内に設置され、スプリング428の他端がロッド体426表面に接し、このスプリング428の弾力を利用し且つロッド体426貫通孔4262を通した枢軸ピンを枢軸として、ロッド体426の止め具4264端を上金型部424の第七連結部4242方向に向けて圧迫した。上金型部424と下金型部422とを締めた場合、上金型部424の凹溝4249が下金型部422の凹溝4228とが錐形貫通孔421に形成し、且つ止め具4264が溝部4227のピン430上に止められ、上金型部424と下金型部422をしっかり固定され、上金型部424は下金型部422からあけた場合、使用者が指でロッド体426の荒さ表面上に力を入れ、ロッド体426の止め具426は溝部4227を離れた方向に向けて移動させ、同時に止め具426がピン430を離脱し、且つ上金型部424の二側壁4244にて形成した溝部を下金型部422の上方へ移動し、更に上金型部424を下金型部422から開けた。
【００５３】
また、アームロッド12の端がシート体1へ移動した場合、アームロッド12の他端が貫通孔122aと二貫通孔102a内における枢軸ピン118を枢軸とし、アームロッド12をシート体10に対し回転でき、回転した場合、アームロッド12の第一連結部122が同時にリンク14、プランジャー16、可置換部品46及びチャック48を連れて金型42方向へ移動し、この場合、プランジャー16上に被ったスプリング50が第二連結部162に接し、移動スプリング50が貫通孔104の孔壁の接するまで移動し、アームロッド12が連続にシート体10の方向へ圧迫移動しながら、スプリング50が第二連結部162にて圧迫され長さを縮小し、アームロッド12の内側表面がシート体10の表面に接するまでに停止し、この場合、アームロッド12の第一連結部122上の貫通孔126aがシート体10の貫通孔104aを芯あわせし、使用者が固定栓44を貫通孔104a及び貫通孔126aを挿入し、且つ固定栓444の一端にナット442を止め、固定栓44がシート体10上に固定され、アームロッド12を水平方向にシート体10上に固定され、使用者が便利にこの工具を収納することができる。
【００５４】
そして、使用者がこの工具を使用する場合、このナット442をロック解除し固定栓44を取り出して、この場合、第一連結部122での固定栓44が無くなったので、スプリング50が第二連結部162圧迫を受けないため、スプリング50が弾力にて原状に復帰でき、且つ同時にプランジャー16の第二連結部162を押しながら、連動なリンク14及び第一連結部122を移動させ、アームロッド12の一端がシート体10を離れる方向へ移動した。
【００５５】
前記可置換部品46、チャック48、金型42、スプリング50、スプリング428及びピン430の材質は例えば銅、鉄、銀、ニッケル、錫、金、銅金合金、銅錫合金、銅ニッケル合金、真鍮、真鍮合金、リン青銅、ベリリウム銅、アルミ、アルミ合金、亜鉛合金、鋼鉄合金又は他の高強度の重合体プラスッチクからの及びその組合したものである。またチャック48が接続口異なる形式の同軸ケーブル接続口に使用され、例えばF型同軸ケーブル接続口、BNC型同軸ケーブル接続口、RCA型同軸ケーブル接続口、XLR型同軸ケーブル接続口、DFP型同軸ケーブル接続口、DVI型同軸ケーブル接続口、SCART型同軸ケーブル接続口或RF型同軸ケーブル接続口などがあり、使用者が要求に応じて異なる形式のチャック48を交換でき、しかもシート体10上に位置したほかの収納孔116も異なる形式可置換部品46及び他の形式のチャック48を設置でき、例えば外観異なり、外径大小異なり又は長さ異なり等のチャック48を交換し、従って、本実施例に対し言えば、チャック48は置換できる圧迫部品体で、この圧迫部品体が同軸ケーブル接続口の形式異なりによって形式適合のチャック48を切り替えられる。
【００５６】
図9a、図9b及び図9cに示すように、同軸ケーブル接続口38を同軸ケーブル40上に取り付け、金型42の上金型部424を下金型部422から開け、前記同軸ケーブル接続口38を装着した同軸ケーブル40を当金部112の溝部1124及び下金型部422上に配置し、且つ同軸ケーブル接続口38のナット386をチャック48上に設置され、この場合、同軸ケーブル40の金属線1がチャック48の凹溝482内を貫通でき、且つナット386内における内スリーブ382がチャック48の表面上に当たり、更に上金型部422を閉めて、上金型部422及び下金型部242を同軸ケーブル40を巡って回り、即ち、同軸ケーブル40が金型24の錐形貫通孔421内に位置され、且つ同時にロッド体426の止め具4264が下金型部422のピン430上に留められ、上金型部422を下金型部422と固定させた。
【００５７】
更にアームロッド12をシート体10方向へ押し下げ、同時にアームロッド12の第一連結部122はリンク14、プランジャー16、スプリング50、可置換部品46及びチャック48を連れてシート体10の当金部112方向へ移動し、移動過程中、スプリング50が貫通孔104の孔壁に接して圧縮され、且つチャック48も同軸ケーブル接続口38及び同軸ケーブル40を押しながら当金部112方向へ移動し、即ち、同軸ケーブル接続口38の軸線方向へ移動し、その中に移動過程中においてチャック48は同軸ケーブル接続口38を推移し金型24の錐形貫通孔421内壁に当たり、使用者の手の平がアームロッド12の表面を把握してシート体10表面に接触した場合、即ち、アームロッド12が殆どシート体10と平行関係を呈している場合。
【００５８】
同軸ケーブル接続口38はチャック48による圧迫で、錐形貫通孔421内の同軸ケーブル接続口38の外スリーブ384の後端延伸部が金型42の径方向圧迫を受けて錐形になって、この場合、同軸ケーブル接続口38の外スリーブの外凸縁が金型24の階段部4223に接し、この階段部4223は使用者の力が大きすぎた場合、同軸ケーブル接続口38が金型24中に落ち込みすぎて、取りにくいことを防止でき、即ち、同軸ケーブル40に近い外スリーブ384の後端延伸部38の直径d1は縮小して直径d2になって、然しナット386に近い外スリーブ384の後端延伸部38の直径d1が変化なく、且つ内スリーブ382の後端延伸部と外スリーブ384の後端延伸部の間に間隙387を小さくして、この外スリーブ384の後端延伸部を変形した同時に、同軸ケーブル40の編織層7及びプラスチック被覆層9を圧迫し、同軸ケーブル40が同軸ケーブル接続口38と密接に結合して脱落しなく、次に使用者がアームロッド12に対して加え力を停止し、アームロッド12を緩めて、この場合、スプリング50の弾力はプランジャー16の第二連結部162を押しながら、連動なリンク14及び第一連結部122を移動させ、アームロッド12の一端がシート体10から離れた方向へ移動し、最終的にアームロッド12を未圧迫の状態に復帰した。
【００５９】
次に使用者が手指でロッド体426の荒さ表面上に力を加え、ロッド体426止め具426を溝部4227を離れる方向へ移動させ、同時に止め具426がピン430から離れ、且つ上金型部424の二側壁4244にて形成した溝部が下金型部422の上方へ移動し、更に上金型部424を下金型部422から開け、使用者は圧合した同軸ケーブル接続口38及び同軸ケーブル40を取り出すことができる。
【００６０】
第三実施例
図10aに示すように、第三実施例の同軸ケーブル工具は第一実施例及び第二実施例と類似で、以下にただ本実施例が第二実施例と異なる部品の構造及び動作を説明し、例えば、本実施例の同軸ケーブル工具の外観が前記第一実施例及び第二実施例と比べてやや違いで、特にシート体10において、この実施例シート体10上に区域105を設置して制造者がこの工具の使用情報を貼ることに用いられ、また、シート体10上には収納溝107を包含し、これは外へ露出のナット442を収納するためである。
【００６１】
図10b及び図10cに示すように、第三実施例の同軸ケーブル工具の異なる部分は第二実施例の可置換部品46を当金部品47に取り替えることを含み、且つ当金部品47をシート体10の凹溝102内に設置し、その中に、動リンク14、プランジャー16、スプリング50及び当金部品47が先に組立てき、その中に、スプリング50及び当金部品47がプランジャー16上に被り設置され、しかもプランジャー16が当金部品47に対して軸線方向へ移動でき、組立後、シート体10の凹溝102内に差し込み、その後、チャック48はシート体10の貫通孔104から插入して与プランジャー16に結合した。
【００６２】
アームロッド12の一端がシート体10へ移動する場合、動リンク14がアームロッド12他端を介して連動され、プランジャー16を連れて軸線方向へ移動し、スプリング50がプランジャー16の第二連結部162に推移され、更に当金部品47を推移し、当金部品47の一端凸起部が貫通孔104内壁上に接触し、当金部品47を移動停止させ、もし、プランジャー16が連続に金型42方向へ移動すれば、スプリング50が圧迫され長さを縮小し弾力を生じ、使用者がアームロッド12へ加え力を停止すると、スプリング50が圧迫されたので生じた弾力がプランジャー16の第二連結部162を反方向へ推移し、続けて、この実施例の手工具が同軸ケーブル接続口38の圧合プロセスは前記第二実施例の説明を参照ください。
【００６３】
本考案の実施例説明したにも関わらず、一般にこの項目熟練の技術者にとって、理解でき、本考案的原理及び精神を逸脱しない前提において、これら実施例に対して変化できる。本考案の適用範囲は申請の請求範囲及びその均等物によって限定するべきである。本考案権利の請求範囲は、特許の範囲を基準とする。注意すべきのは、言葉“包含”は他の部品を排除しないで、言葉“一”というのは複数個を排除しない。
【００６４】
特別な説明しないかぎり、本明細書に関するすべての大きさ、値、等級、位置、サイズ及び他の規格は概算値であり正確なものを意図していない。前述者はその関連機能、且つ所属技術中において慣用者が符合合理範囲を具備えようとする。
【図１ａ】
0003211955.tif 000003
【図１ｂ】
0003211955.tif 000004
【図２】
0003211955.tif 000005
【図３】
0003211955.tif 000006
【図４】
0003211955.tif 000007
【図５】
0003211955.tif 000008
【図６ａ】
0003211955.tif 000009
【図６ｂ】
0003211955.tif 000010
【図７ａ】
0003211955.tif 000011
【図７ｂ】
0003211955.tif 000012
【図８ａ】
0003211955.tif 000013
【図８ｂ】
0003211955.tif 000014
【図８ｃ】
0003211955.tif 000015
【図８ｄ】
0003211955.tif 000016
【図９ａ】
0003211955.tif 000017
【図９ｂ】
0003211955.tif 000018
【図９ｃ】
0003211955.tif 000019
【図１０ａ】
0003211955.tif 000020
【図１０ｂ】
0003211955.tif 000021
【図１０ｃ】
0003211955.tif 000022